(57)【特許請求の範囲】
【請求項１】
ボイラの缶水濃度が缶水濃度上限値に達すると、給水に同期してブロー電磁弁を断続的に開閉制御し、以降、缶水濃度が下限値に達するまでこの動作を繰り返し、缶水濃度が下限値に達すると、ブロー電磁弁を閉に継続し給水のみを断続的に開閉制御するボイラのブロー制御装置において、
前記ボイラの缶水濃度が前記缶水濃度上限値に達し、給水に同期してブロー電磁弁を断続的に開閉制御を開始した後に缶水濃度が前記缶水濃度上限値を超えてさらに上昇傾向にあるかを判定する手段と、
前記上昇傾向にあると判定した場合に、給水と同期することなくブロー電磁弁を開に継続し給水のみを断続的に開閉制御する手段を備えたことを特徴とするボイラのブロー制御装置。
【請求項２】
ボイラの缶水濃度が缶水濃度上限値に達すると、給水に同期してブロー電磁弁を断続的に開閉制御し、以降、缶水濃度が下限値に達するまでこの動作を繰り返し、缶水濃度が下限値に達すると、ブロー電磁弁を閉に継続し給水のみを断続的に開閉制御するボイラのブロー制御装置において、
前記ボイラの缶水濃度が前記缶水濃度上限値に達し、給水に同期してブロー電磁弁を断続的に開閉制御を開始した後に缶水濃度が前記缶水濃度上限値を超えてさらに上昇傾向にあるかを判定する手段と、
前記上昇傾向にあると判定した場合に、ブロー電磁弁を給水と同期して開とすると共に、給水が閉となる時間に対してブロー電磁弁が閉となる時間を遅らせて給水のオン時間よりもブロー電磁弁のオン時間を長く設定する手段を備えたことを特徴とするボイラのブロー制御装置。
【請求項３】
前記缶水濃度上限値より高い缶水濃度の上昇判定用設定値を設け、缶水濃度がこの上昇判定用設定値に達した時に、缶水濃度が前記缶水濃度上限値を超えてさらに上昇傾向にあると判定することを特徴とする請求項１又は２記載のボイラのブロー制御装置。
【発明の詳細な説明】
【０００１】
【発明の属する技術分野】
この発明は、ボイラの缶水濃度を適正値に保つようにしたボイラのブロー制御装置に関するものである。
【０００２】
【従来の技術】
ボイラを運転して蒸気を発生させると、ボイラの給水中に含まれる不純物がボイラの缶水中に残り、徐々に濃縮してキャリオーバー現象を引き起こす。このため、ブロー電磁弁を備え、ボイラの缶水濃度が上昇するとブロー電磁弁を開けてボイラの缶水を排出し、ボイラの缶水濃度が低下するとブロー電磁弁を閉め、これにより、缶水濃度を規定値に保持するようにしたブロー制御装置をボイラに備えて、前記キャリオーバー現象を防止することが広く行われている。
【０００３】
従来、前記ブロー制御装置は、ブローと給水との熱交換等の理由により、給水ポンプと同期してブロー電磁弁を開けるように該ブロー電磁弁の開閉を制御することが一般に行われていた。そして、このブロー流量は、給水ポンプの給水流量等により、オリフィスや絞り弁等で絞って、所定流量に調整されていた。
【０００４】
【発明が解決しようとする課題】
ここに、前記ブロー制御装置にあっては、ブロー電磁弁用ストレーナの詰まりやブロー配管の排圧の上昇等によりブロー流量が減少することがあるが、上記従来例にあっては、このような場合に、缶水の排出量が不足して缶水濃度が上昇し、キャリオーバー現象を起こして蒸気の乾き度が低下することがあるという問題があった。
【０００５】
この発明は上記事情に鑑みて為されたもので、ブロー制御装置のブロー流量が減少しても缶水の排出量を確保して、缶水濃度を規定値に保持できるようにしたボイラのブロー制御装置を提供することを目的とする。
【０００６】
【課題を解決するための手段】
本発明のボイラのブロー制御装置は、ボイラの缶水濃度が缶水濃度上限値に達すると、給水に同期してブロー電磁弁を断続的に開閉制御し、以降、缶水濃度が下限値に達するまでこの動作を繰り返し、缶水濃度が下限値に達すると、ブロー電磁弁を閉に継続し給水のみを断続的に開閉制御するボイラのブロー制御装置において、前記ボイラの缶水濃度が前記缶水濃度上限値に達し、給水に同期してブロー電磁弁を断続的に開閉制御を開始した後に缶水濃度が前記缶水濃度上限値を超えてさらに上昇傾向にあるかを判定する手段と、前記上昇傾向にあると判定した場合に、給水と同期することなくブロー電磁弁を開に継続し給水のみを断続的に開閉制御する手段を備えたことを特徴とする。
【０００７】
また、本発明のボイラのブロー制御装置は、ボイラの缶水濃度が缶水濃度上限値に達すると、給水に同期してブロー電磁弁を断続的に開閉制御し、以降、缶水濃度が下限値に達するまでこの動作を繰り返し、缶水濃度が下限値に達すると、ブロー電磁弁を閉に継続し給水のみを断続的に開閉制御するボイラのブロー制御装置において、前記ボイラの缶水濃度が前記缶水濃度上限値に達し、給水に同期してブロー電磁弁を断続的に開閉制御を開始した後に缶水濃度が前記缶水濃度上限値を超えてさらに上昇傾向にあるかを判定する手段と、前記上昇傾向にあると判定した場合に、ブロー電磁弁を給水と同期して開とすると共に、給水が閉となる時間に対してブロー電磁弁が閉となる時間を遅らせて給水のオン時間よりもブロー電磁弁のオン時間を長く設定する手段を備えたことを特徴とする。
【０００８】
これにより、ブロー流量の低下等により缶水濃度が上昇傾向にある場合に、給水中であるか否かに関係なくブロー電磁弁を開くことによって缶水の排出量を確保し、缶水濃度を既定値に保持することができる。
【０００９】
ここに、前記缶水濃度上限値より高い缶水濃度の上昇判定用設定値を設け、缶水濃度がこの上昇判定用設定値に達した時に、缶水濃度が前記缶水濃度上限値を超えてさらに上昇傾向にあると判定することができる。
【００１０】
【発明の実施の形態】
以下、本発明の実施の形態を図面を参照して説明する。
図２は、ブロー制御装置を備えた蒸気ボイラの概要を示す全体構成図で、ボイラ本体１には、蒸気を発生させるために該ボイラ本体１を加熱する燃焼装置２と、ボイラ本体１に水を供給する給水ポンプ３と、ボイラの缶水濃度を既定値に保持するためのブロー制御装置４が備えられている。
【００１１】
前記ブロー制御装置４には、前記ボイラ本体１に接続されたブロー配管５と、このブロー配管５内に介装されたブロー電磁弁６と、このブロー電磁弁６の開閉を制御する制御装置７が備えられている。同様に前記ボイラ本体１内の缶水濃度を測定する缶水濃度センサ８が備えられている。この濃度センサ８及び前記給水ポンプ３からの出力信号が前記制御装置７に入力され、この制御装置７からの信号がブロー電磁弁６に入力され、ブロー電磁弁６が開閉されるようになっている。
ここに、前記制御装置７には、図１に示す缶水濃度上限値Ｃ1と缶水濃度下限値Ｃ2が予め設定されている。
【００１２】
次に、図１を参照して、前記ブロー制御装置４の制御動作を説明する。
ボイラは燃焼装置２により加熱されて蒸気を発生するため、この蒸気の発生に伴って缶水の水位が低下する。そして、この缶水が給水ポンプ始動レベルまで下がると給水ポンプ３がオンになり、給水ポンプ停止レベルに達するまで給水して水を補給する。そして、このように蒸気を発生させていくと、ボイラの缶水には、給水から持ち込まれた不純物が徐々にたまり、缶水濃度センサ８で検出している缶水濃度が上昇していく。ボイラの缶水濃度が低く、缶水濃度上限値Ｃ1まで達しない状態では、給水ポンプ３がオンになっても、ブロー電磁弁６は閉のままである。
【００１３】
そして、ボイラが蒸気を発生し続けて缶水濃度が上昇し、これが缶水濃度上限値Ｃ1に達した時（時間ｔ1）、給水ポンプ３と同期してブロー電磁弁６を開にして、缶水を排出する。以降、缶水濃度が缶水濃度下限値Ｃ2に達するまで、この動作を繰り返す。すると、ブロー流量が適正であれば、缶水濃度は徐々に低下し、缶水濃度下限値Ｃ2まで達したら（時間ｔ2）、ブロー電磁弁６を閉にして、給水ポンプがオンとなっても、ブロー電磁弁６は閉を継続する。通常は、このように動作して、缶水濃度を適正値に保持する。
【００１４】
しかしながら、ブロー電磁弁６のストレーナの詰まりや、ブロー配管５の２次側（ブロー電磁弁６の下流側）の排圧の上昇等によって、ブロー流量が不足する場合がある。例えば、ボイラを複数台設置し、ブロー配管５の２次側を集合管にした場合には、他の複数台のボイラのブローの影響により、この集合管の圧力が上昇し、結果的に排圧が上昇することがある。
【００１５】
そこで、缶水濃度がその上限値Ｃ1に達し、ブロー電磁弁６を給水ポンプ３に同期して開にした（時間ｔ3）後、缶水濃度が平均的に徐々に増加し、所定時間Ｔを経過しても缶水濃度がその上限値Ｃ1以下に低下しない場合に、ブロー不足と判定する手段を制御装置７内に備える。そして、缶水濃度が上昇傾向と判定された場合には、今まで給水と同期で開けていたブロー電磁弁６を、給水との同期をなくして、連続で開（給水停止中でも開にする）にして（時間ｔ4）、ブロー流量の不足を時間の方で補い排出量を確保して缶水濃度を低下させる。そして、缶水濃度がその下限値Ｃ2に達するまでこの動作を継続する（時間ｔ4〜ｔ5）。これにより、ブロー流量が不足しても、缶水排出量の不足を補って、ボイラの缶水濃度を適正値に保持することができる。
【００１６】
なお、この実施の形態では、ブロー不足と判定した後にブロー電磁弁６を連続して開けた例を示しているが、缶水濃度センサ８からの缶水濃度の値により、給水ポンプ４を停止した後、ブロー電磁弁６を停止する時間を遅らせて、ブロー電磁弁６の開の時間を給水時間より長くして、排水量の不足を補うようにすることもできる。即ち、缶水濃度が所定値を超えて上昇傾向と判断した場合に、給水ポンプ３のオン時間に対して、ブロー電磁弁６のオン時間をタイマー等により長く設定することで、ブロー電磁弁６を給水ポンプ３と同期してオン／オフさせながら、ブロー排出量を多くすることができる。
【００１７】
また、ブロー電磁弁２の開後に缶水濃度が上昇傾向にあるか否かを、時間Ｔを経過した後の缶水濃度で見ているが、例えば、図１の一点鎖線で示すように、上限設定より高い缶水濃度の上昇判定用設定値Ｃ3を設け、缶水濃度がこの設定値Ｃ3に達した場合、直ちに上昇傾向と判断するようにしても良い。
【００１８】
【発明の効果】
以上に説明したように、本発明によれば、ブロー流量の低下等により缶水濃度が上昇傾向にある場合に、給水中であるか否かに関係なくブロー電磁弁を開くことによって缶水の排出量を確保し、缶水濃度を既定値に保持することができ、これによって、キャリオーバー現象を起こして蒸気の乾き度が低下してしまうことを防止することができる。
【図面の簡単な説明】
【図１】本発明の実施の形態の制御動作の説明に付する図。
【図２】本発明が適用されるブロー制御装置を備えたボイラの概要を示す全体構成図。
【符号の説明】
１  ボイラ本体
２  燃焼装置
３  給水ポンプ
４  ブロー制御装置
５  ブロー配管
６  ブロー電磁弁
７  制御装置
８  缶水濃度センサ
【図１】
0003933261.tif 000002
【図２】
0003933261.tif 000003